(57)【要約】【課題】小型であると共に、容易に製造することができ、且つ、照度及び配光性に優れた照明ランプを提供することを課題とする。【解決手段】発光部分の外観が管状とされた照明ランプであり、光源である発光体が複数配置された光源モジュールと、軸線方向が長手となるように形成されて前記発光体からの光を拡散させつつ透過させるカバーと、前記カバーが係止されて装着される基台部とを備え、前記光源モジュールは、前記基台部と前記カバーとの係止により形成された空間に位置し、前記カバーは、軸線方向に沿う全長に亘り形成された側方開口部を有し、該側方開口部が幅方向に拡大または縮小するように弾性変形可能であって、この弾性変形により該カバーの前記基台部への装着がなされることを特徴とする。【選択図】図１
2014089894.tif 000002
【特許請求の範囲】
【請求項１】
発光部分の外観が管状とされた照明ランプであり、
光源である発光体が複数配置された光源モジュールと、軸線方向が長手となるように形成されて前記発光体からの光を拡散させつつ透過させるカバーと、前記カバーが係止されて装着される基台部とを備え、
前記光源モジュールは、前記基台部と前記カバーとの係止により形成された空間に位置し、
前記カバーは、軸線方向に沿う全長に亘り形成された側方開口部を有し、該側方開口部が幅方向に拡大または縮小するように弾性変形可能であって、この弾性変形により該カバーの前記基台部への装着がなされることを特徴とする照明ランプ。
【請求項２】
前記カバーは、前記側方開口部の一部である当接部を備え、
前記基台部は、前記当接部に対して直接的または間接的に当接する傾斜面を備え、
前記傾斜面は、前記カバーが前記基台部に装着される際に、前記当接部が直接的または間接的に当接した状態で、該カバーが外力を受けて該傾斜面に沿い移動することで、前記側方開口部を拡大または縮小させることを特徴とする請求項１に記載の照明ランプ。
【請求項３】
前記発光体からの光を反射する反射部を備え、該反射部は、前記基台部と前記カバーとの係止により形成された空間に位置するもので、前記傾斜面に重なり合う面を有する重なり部を備え、
前記傾斜面は、前記基台部において幅方向外側に向かうにつれ下降する平面とされ、前記カバーが前記基台部に装着される際に、該傾斜面に前記当接部が直接的または間接的に当接して、該傾斜面に沿い移動することで前記側方開口部を拡大させるものであり、
前記カバーは、前記重なり部に対して直接的または間接的に当接することで、該カバーが前記基台部に装着される際に前記側方開口部の拡大がなされ、この後、該カバーの前記基台部への装着がなされることを特徴とする請求項２に記載の照明ランプ。
【請求項４】
前記反射部は前記発光体からの光を反射できる反射面を内面に有する凹部を備え、該凹部の底部から前記発光体の光が照射されることを特徴とする請求項３に記載の照明ランプ。
【発明の詳細な説明】
【技術分野】
【０００１】
本発明は、発光部分の外観が管状とされた照明ランプに関する。
【背景技術】
【０００２】
近年、発光ダイオード（ＬＥＤ）を光源として用いた照明装置は、一般に、蛍光灯や白熱電球に比べてエネルギー効率が高く、長寿命であることからその用途を急速に拡大させている。しかし、ＬＥＤから照射される光は指向性が高く、そのままの状態では、局部的に強い光を照射することになる。このため、配光性（「配向性」ともいう）を向上させるため、つまり、一定以上の光量をある程度の面積にわたって照射させるためには、ＬＥＤから照射される光を拡散させることが必要となる。
【０００３】
ＬＥＤからの光を拡散させる方法として、光の反射性に優れた平板状の材料に、凹部（以下、反射板凹部と記す）を形成し、該反射板凹部の底部に形成された開口部から反射板凹部内にＬＥＤを突出させ、反射板凹部の内面にＬＥＤの光を反射させて拡散させることが提案されている。このような反射板を備えた照明装置としては、面状に配置された複数のＬＥＤを備える光源モジュールと、該光源モジュールを覆うように形成された反射板と、反射板を覆うように形成されて光源からの光を拡散させつつ透過させる拡散板とを備えたライトボックスが提案されている。この照明装置では、光源モジュールのＬＥＤに対応する位置に反射板凹部が形成されており、各反射板凹部内に突出したＬＥＤから照射される光と反射板によって反射された光とが拡散板で拡散されつつ拡散板を通過するため、一定以上の光量を面状の領域から照射させることが可能となっている（下記特許文献１）。
【０００４】
一方、より小型である照明装置の一例として、従来の蛍光灯の代替を主な目的とし、光源としてＬＥＤを用いた、発光部分の外観が管状とされた照明ランプが提案されている。
【０００５】
このような照明ランプでは、複数のＬＥＤが配置された光源モジュールを管内に収納することから、管の径寸法による制限により十分な光拡散距離を確保することが難しい。このため、光にムラが発生しやすく、また、照明範囲に寄与する配向性が狭くなるという課題があった。
【０００６】
前記課題に対し、光源モジュールに切欠穴を設けることで光源モジュールの裏側方向に一部導光するものや（下記特許文献２）、フレキシブルな光源モジュールを軸上に巻き付けたもの（下記特許文献３）、管を二重構造にして照明位置を任意に変更できる機構を付与したもの（下記特許文献４）が提案されている。また、光源モジュールの管内への収納に際し、管端部の開口より光源モジュールを挿入して固定することが提案されている（下記特許文献５、６）。
【先行技術文献】
【特許文献】
【０００７】
【特許文献１】国際公開ＷＯ２００７／０３７０３５号公報
【特許文献２】特開２０１１−００８９２０号公報
【特許文献３】登録実用新案第３１６７２４１号公報
【特許文献４】特開２０１２−０１４８４２号公報
【特許文献５】登録実用新案第３１５４９５５号公報
【特許文献６】特許第４６１６４１１号公報
【発明の概要】
【発明が解決しようとする課題】
【０００８】
しかしながら、特許文献１に記載された照明装置は、複数のＬＥＤが面状に配置されているため大型なものとなり、設置するスペースに制限がある。また、光源モジュール、反射板、及び、拡散板が大型なものとなるため、照明装置を製造する際に、各部材が扱い難くなると共に、各部材を順次重ねて固定する必要があるため、照明装置の製造を効率的に行うことが出来ない。
【０００９】
また、特許文献２〜４に記載された照明ランプは、各部材の製造工程が煩雑化する等のため効率的な製造が出来ない。また、特許文献５、６に記載された照明ランプは、軸線方向に長尺である管を用いるため、管端部の開口より光源モジュールを挿入するためには、管の２倍以上の長さの作業スペースが必要となり、光源モジュールの挿入作業を行い難いという問題があった。
【００１０】
そこで、本発明は、小型であると共に、容易に製造することができ、且つ、配光性に優れた照明ランプを提供することを課題とする。
【課題を解決するための手段】
【００１１】
本発明は、発光部分の外観が管状とされた照明ランプであり、光源である発光体が複数配置された光源モジュールと、軸線方向が長手となるように形成されて前記発光体からの光を拡散させつつ透過させるカバーと、前記カバーが係止されて装着される基台部とを備え、前記光源モジュールは、前記基台部と前記カバーとの係止により形成された空間に位置し、前記カバーは、軸線方向に沿う全長に亘り形成された側方開口部を有し、該側方開口部が幅方向に拡大または縮小するように弾性変形可能であって、この弾性変形により該カバーの前記基台部への装着がなされることを特徴とする。
【００１２】
この構成によれば、カバーが側方開口部を有し、この側方開口部が幅方向に拡大または縮小するように弾性変形可能であって、この弾性変形によりカバーの基台部への装着がなされる。これにより、側方開口部が幅方向に拡大または縮小するようにすることで照明ランプの組み立てが可能であるため、組み立てのためにカバー及び基台部の軸線方向外側のスペースを確保する必要がなくなり、作業スペースが小さくて済む。このため、容易に照明ランプを製造できる。また、軸線に沿う棒状の照明ランプとなるため、面状に形成された場合よりも小型なものとなり、設置するのに必要なスペースを小さくすることができる。
【００１３】
また、前記カバーは、前記側方開口部の一部である当接部を備え、前記基台部は、前記当接部に対して直接的または間接的に当接する傾斜面を備え、前記傾斜面は、前記カバーが前記基台部に装着される際に、前記当接部が直接的または間接的に当接した状態で、該カバーが外力を受けて該傾斜面に沿い移動することで、前記側方開口部を拡大または縮小させるものともできる。
【００１４】
この構成によれば、基台部が傾斜面を備える。これにより、この傾斜面にカバーの当接部を直接的または間接的に当接させた上でカバーに外力を加えることで、基台部へのカバーの装着を容易にできる。
【００１５】
また、前記発光体からの光を反射する反射部を備え、該反射部は、前記基台部と前記カバーとの係止により形成された空間に位置するもので、前記傾斜面に重なり合う面を有する重なり部を備え、前記傾斜面は、前記基台部において幅方向外側に向かうにつれ下降する平面とされ、前記カバーが前記基台部に装着される際に、該傾斜面に前記当接部が直接的または間接的に当接して、該傾斜面に沿い移動することで前記側方開口部を拡大させるものであり、前記カバーは、前記重なり部に対して直接的または間接的に当接することで、該カバーが前記基台部に装着される際に前記側方開口部の拡大がなされ、この後、該カバーの前記基台部への装着がなされるものともできる。
【００１６】
この構成によれば、外力を受けて側方開口部が拡大することでカバーが基台部に対して装着される。これにより、基台部の幅方向外側にカバーを位置させることができるため、透光性のあるカバーを周方向の広い範囲に位置させるようにできるため、照明ランプの配光性を更に向上できる。
【００１７】
また、前記反射部は前記発光体からの光を反射できる反射面を内面に有する凹部を備え、該凹部の底部から前記発光体の光が照射されるものともできる。
【００１８】
この構成によれば、凹部の反射面により、発光体の光を該発光体の前方側に効率的に導くことができるため、照明ランプの配光性を更に向上できる。
【発明の効果】
【００１９】
以上のように、本発明によれば、小型であると共に、容易に製造することができ、且つ、配光性に優れた照明ランプを提供することができる。
【図面の簡単な説明】
【００２０】
【図１】本実施形態に係る照明ランプの構成物品を示した分解状態の斜視図。
【図２】同実施形態に係る照明ランプの光源収容体を示した斜視図。
【図３】（ａ）は、同実施形態に係る照明ランプの反射板の長手方向に直交する断面を示した斜視図、（ｂ）は、反射板の長手方向の断面を示した図、（ｃ）は、反射板凹部の寸法関係を示した説明図。
【図４】同実施形態に係る照明ランプの拡散板を示した斜視図。
【図５】同実施形態の光源収容体、反射板、拡散板が重なった状態におけるそれぞれの長手方向に直交する断面を示した断面図。
【図６】（ａ）〜（ｃ）は、同実施形態の光源収容体に対してカバーを取り付ける要領を示した断面図。
【図７】同実施形態の光源から発する光の経路と各部の角度を示す断面視の説明図。
【図８】他の実施形態に係る照明ランプを示した、口金を外した状態の斜視図。
【図９】（ａ）〜（ｇ）は、他の実施形態に係る反射板を示した斜視図。
【発明を実施するための形態】
【００２１】
以下、本発明の実施形態について図１〜図７を参照しながら説明する。なお、以下の説明における上下方向、水平・垂直方向の表現は、図１等に示されたように、カバー１が鉛直方向における上方に位置し、光源収容体２が同下方に位置した場合を基準としている。また、前後の表現は、照明ランプ内に位置する発光ダイオード（ＬＥＤ）の向き（より具体的にはＬＥＤから発される光束の向き）を基準としている。
【００２２】
本実施形態に係る照明ランプは、従来の、発光部分が直管とされた直管形蛍光灯の代替を主な目的としており、発光部分の外観が直管状である照明ランプである。図１に示すように、光を拡散させつつ透過させるカバー１と、光源Ｌである発光体として好適なＬＥＤを収容した、基台部としての光源収容体２と、光源Ｌからの光を反射する、反射部としての反射板３と、光を拡散させる拡散板４と、電流を供給するソケットに挿入される一対の口金５，５とから構成されている。そして、カバー１の軸線に沿って光源収容体２が取り付けられることで直管状となり、該直管状部分における内部空間に、反射板３及び拡散板４が配置され、該直管状部分（カバー１及び光源収容体２）の両端部に一対の口金５，５が取り付けられることで形成される。
【００２３】
前記カバー１は、光源収容体２に対して着脱可能であり、軸線方向が長手となるように形成されている。本実施形態では、カバー１は、円筒状の外周部が軸線方向に沿う側方開口部１ｂの形成により長手方向に沿って切り欠かれ（具体的には、長手方向の両端間の全域に亘って）、長手方向に直交する断面の断面形状が略「Ｃ」字状に形成されている。また、カバー１は、両端部に端部開口部１ａ，１ａが形成されている。側方開口部１ｂは、長手方向に平行に形成されており、幅寸法は該側方開口部１ｂに光源収容体２が装着可能な寸法とされている。このため、カバー１は、該カバー１に加えられた下方への外力を受け、側方開口部１ｂが幅方向に拡大するように弾性変形可能とされている。また、この側方開口部１ｂの開口端縁１ｃは、カバー１を光源収容体２に装着する際に、光源収容体２における収容体フランジ部２ｂの上側面２ｂ１に間接的に（本実施形態では反射板３及び拡散板４越しに）当接する当接部として機能する。
【００２４】
また、カバー１は、内周面から突出する係止部としての係止突起１ｄを備えている。該係止突起１ｄは、長手方向に平行に形成されている。具体的には、係止突起１ｄは、側方開口部１ｂに近い側に１本ずつ端側係止突起１ｄ１が形成され、更に、側方開口部１ｂから周方向に離れた位置に１本ずつ奥側係止突起１ｄ２が形成されている。つまり、側方開口部１ｂの幅方向一方側につき２本ずつ形成されている。端側係止突起１ｄ１の基端部の奥側の位置と、奥側係止突起１ｄ２の基端部の端側（側方開口部側）の位置との距離は、拡散板フランジ部４ｂ、反射板フランジ部３ｃ、収容体フランジ部２ｂを重ね合わせた厚さ寸法と略一致している。
【００２５】
係止突起１ｄは、カバー１の両端部に形成された端部開口部１ａ，１ａ間の全域に亘って直線状に形成されている。本実施形態では、係止突起１ｄは、２本１組である各組が側方開口部１ｂを挟むようにして一対形成されている。また、係止突起１ｄの断面形状は三角形とされている。詳しくは、係止突起１ｄにおける側方開口部１ｂ寄りの側面形状が、カバー１を光源収容体２に装着した状態（または、照明ランプとして組み立てられた状態）にて光源収容体２の収容体フランジ部２ｂの上側面２ｂ１と平行な面であり、反対側の側面が同状態にて水平な面となる形状である。このような形状とすることにより、カバー１の光源収容体２への装着後に、収容体フランジ部２ｂの上側面２ｂ１側において係止突起１ｄによる遮光を防止できる。なお、本実施形態では、側方開口部１ｂの開口端縁１ｃに一致して端側係止突起１ｄ１が形成されているが、開口端縁１ｃから周方向に離れた位置に端側係止突起１ｄ１が形成されていてもよい。
【００２６】
なお、カバー１を形成する材料としては、光源Ｌからの光を拡散透過できるものであれば特に限定されるものではなく、例えば、屈折率の異なる樹脂を混合したものや、非相溶微粒子が材料に添加または表面に塗布されたものであってもよい。特に、本実施形態ではカバー１を光源収容体２に装着するため、側方開口部１ｂが拡大・縮小する際にカバー１が変形する。このため、強度に優れた材質とすることが好ましく、好ましい材料として、例えば、ポリアクリル酸メチル系やポリカーボネート系の樹脂素材が挙げられる。また、例えば図８に示すように、カバー１の表面に微細加工が施されたことにより、光拡散性が付与されてもよい。
【００２７】
前記のように構成されたカバー１は、図６（ａ）〜（ｃ）に示すように、光源収容体２の幅方向外側から装着される。このため、透光性のあるカバーを、直管状である発光部分における、周方向の広い範囲に位置させるようにできる。よって、照明ランプの配光性を向上できる。なお、本実施形態における「発光部分」とは、従来の直管形等の蛍光灯における発光部分に対応する部分であって、口金や口金に接続された台座を除いた部分を指す。
【００２８】
ここで、長手方向に直交する断面形状におけるカバー１の曲率中心を基準とした、カバー１を光源収容体２に装着した状態での、側方開口部１ｂの外周部分における中心角をαとすると（図７参照）、好ましいαの範囲は下記の通りである。
２５０°≦α＜３６０°
αが２５０°以上であれば、カバー１の曲率中心を基準とした前方側だけでなく、側方側や斜め後方側にも配光が可能であり、照明ランプの配光性を向上できるため好ましい。ただし、本発明は前記角度に限定されるものではなく、αが１８０°以上であってもよい。αが１８０°以上であれば、照明ランプの機能上支障がない程度の配光性は確保できる。また、本実施形態における前記αは、カバー１の曲率中心と光源収容体２の幅方向中央とを通る仮想の面を挟んで周方向両側へ均等に広がる範囲の角度であるが、これに限定されるものではなく、前記仮想の面を挟んで不均等に広がる範囲の角度であってもよいし、前記仮想の面と全く関係しない範囲の角度であってもよい。
【００２９】
前記光源収容体２は、一方向に沿って長手となるように形成されている。光源収容体２の長さとしては、特に限定されるものではないが、本実施形態では、カバー１の長手方向の長さとほぼ同一長さのものが用いられる。また、光源収容体２は、光源ＬとしてＬＥＤを備える光源モジュールＬ１を収容するよう構成されている。具体的には、光源収容体２は、凹状（より詳しくは、長手方向に直交する断面形状が凹状）に形成されて、内側に光源モジュールＬ１を収容するように構成されている。なお、本実施形態では、光源モジュールＬ１は、光源収容体２の長手方向に沿って長手となるように形成され、長手方向に沿って複数の光源Ｌが直線状に（一方向に）等間隔で配列されている。本実施形態では、図１に示すように、光源Ｌが一列に並ぶように配列されているが、これに限定されるものではなく、複数列が並ぶように配列されたり、千鳥状に配列されたりしてもよい。
【００３０】
光源収容体２について、より詳しく説明すると、図２に示すように、光源収容体２は、凹状に形成されて光源モジュールＬ１を収容する収容体凹部２ａと、該収容体凹部２ａの幅方向端部から外方に延設された収容体フランジ部２ｂとを備えている。ここで、外方とは、カバー１が光源収容体２に装着された状態で、軸線方向に直交する方向（即ち、カバー１及び光源収容体２の長手方向に直交する方向）であって、収容体凹部２ａの内側から外側に向かう方向をいう。
【００３１】
前記収容体凹部２ａは、光源モジュールＬ１が載置される収容体底部２ｃと、該収容体底部２ｃの端部から開放方向に向かって形成された一対の収容体壁部２ｄ，２ｄとから構成されている。
【００３２】
収容体底部２ｃは、上面が光源収容体２の長手方向に沿って長手となる平面に形成されている。また、収容体底部２ｃは、光源モジュールＬ１と密着するように構成されている。収容体壁部２ｄは、光源収容体２（即ち、収容体底部２ｃ）の長手方向に沿って（具体的には、長手方向の両端間の全域に亘って）形成されている。収容体壁部２ｄのうち下部は、収容体底部２ｃに対して略直交するように形成されている。一方、収容体壁部２ｄのうち中間部は、収容体底部２ｃよりも外方に向かって傾斜するように形成されている。そして、収容体壁部２ｄのうち上部は、上方に向かうように形成されている。
【００３３】
収容体底部２ｃの下面、及び、収容体壁部２ｄの外面からはフィン部２ｅが複数突出している。収容体底部２ｃ側のフィン部２ｅは、収容体底部２ｃの下面に対して直交し、長手方向に沿って形成された平板状のものである。収容体壁部２ｄ側のフィン部２ｅは、図２に示すような、内側面が垂直面とされ外側面が傾斜面とされた断面形状であり、長手方向に沿って形成されものである。そして、収容体壁部２ｄ側のフィン部２ｅにおける外側上方の面は嵌合部２ｆの一部を構成する。
【００３４】
前記収容体フランジ部２ｂは、収容体凹部２ａの開放方向に位置する収容体壁部２ｄの端部から下斜め外方に延設されるように形成されている。また、収容体フランジ部２ｂは、光源収容体２の長手方向に沿って（具体的には、長手方向の両端間の全域に亘って）形成されている。この収容体フランジ部２ｂの上側面２ｂ１は、幅方向において外向きの、平坦な傾斜面とされている。本実施形態では、この上側面２ｂ１の傾斜角度は４５°とされている。
【００３５】
フランジ部２ｂにおける内側下方面、収容体壁部２ｄ側のフィン部２ｅにおける外側上方面、収容体壁部２ｄのうち上部により、長手方向に沿う溝状の嵌合部２ｆが形成されている。この嵌合部２ｆは、係止部としての係止突起１ｄに対する被係止部として機能する。図６（ｃ）に示すように、この嵌合部２ｆにはカバー１の端側係止突起１ｄ１が嵌合する。
【００３６】
なお、光源収容体２を形成する材料としては、特に限定されるものではなく、本実施形態では、アルミニウム合金が押出成型されて形成されている。ただし、アルミニウム合金に限定されず、種々の素材を用いることができる。特に放熱を考慮すると、熱伝導性の高い素材（金属等）を用いることが好ましい。このような素材を用いて光源収容体２を形成することで、光源モジュールＬ１の熱を光源収容体２の外側に放散させることができ、光源モジュールＬ１が温度上昇してしまうのを抑制することができる。特に、アルミニウム合金は、熱伝導性に優れ、軽量とでき、加工性が良く、表面の光反射性にも優れるため好ましい。更に、本実施形態の光源収容体２にはフィン部２ｅが形成されているため、光源モジュールＬ１の熱をフィン部２ｅから効果的に放散させることができる。なお、本発明においてフィン部２ｅの形成は必須ではなく、省略してもよい。また、フィン以外の形状であって、光源収容体２の表面積を増加させたことにより放熱を促進するように構成されていてもよい。
【００３７】
ここで、長手方向に直交する断面形状におけるカバー１の曲率中心Ｃを基準とした、カバー１を光源収容体２に装着した状態での、光源収容体２の中心角（最も大きい角度となる部分における中心角）をβとすると（図７参照）、好ましいβの範囲は下記の通りである。
（３６０°−α）≦β≦１５０°
βが１５０°以下であれば、光源Ｌからの光が光源収容体２によって遮られる範囲を限定できるため、照明ランプの配光性を向上できる。
【００３８】
また、光源収容体２の左右に位置する収容体フランジ部の上側面２ｂ１，２ｂ１同士の挟角をγとすると（図７参照）、γの好ましい範囲は、β≦γ≦１５０°であり、より好ましい範囲は、９０°≦γ≦１２０°である。γがこの範囲内であれば、照明ランプの内部において光の反射を多重になすことができ（ただし、実際に光を反射するのは、収容体フランジ部２ｂに重ねられた反射板３における反射板フランジ部３ｃの上側面である）、照明ランプの側方及び斜め後方への配光性を向上できる。前記光の反射は、前記反射板フランジ部３ｃの上側面で直接的になされてもよいし、間接的、つまり、反射板フランジ部３ｃに重ねられた拡散板４の拡散板フランジ部４ｂでなされてもよい。この反射により、前記照明ランプの内部において多重に反射した光を外側へと導くことができる。
【００３９】
図１に戻り、前記反射板３は、一方向に沿って長手となるように形成されている。反射板３の長さとしては、特に限定されるものではなく、種々の長さとできる。また、反射板３は、凹状（具体的には、長手方向に直交する断面形状が凹状）の形状を有する。また、反射板３は、この凹状となる領域（後述する反射板凹部３ａ）を複数備えている。この凹状となる領域は、反射板３の長手方向に沿って複数形成されている。そして、反射板３は、各凹状となる領域の内側に形成された空間同士を仕切る仕切壁部３ｂを各凹状となる領域間に備えている。この反射板３は、図７に示すように、光源収容体２の上方に重ねられることで、反射板３の表面（特に反射壁部３ｅにおける反射内壁面３ｆ及び仕切壁部３ｂにおける壁面３ｊ）にて光源Ｌからの光を反射してカバー１に至らせることができる。これにより照明ランプの照度を向上できる。また、複数の光源Ｌによる光のムラを低減でき、配光を均一化できる（これは特に、拡散反射性の高い反射板を用いた場合に顕著に奏される効果である）。
【００４０】
本発明において反射板３は必須ではなく、省略してもよい。ただし、本実施形態のように反射板凹部３ａを備えた反射板３を用いると、例えば光源収容体２における収容体凹部２ａの内面で光を反射させる場合に比べ、光源Ｌに近い位置に反射面を配置できる。このため、効率的に光の反射がなされて照明ランプの照度を向上できる。このことから、反射板３を設ける方が好ましい。
【００４１】
反射板３について、より詳しく説明すると、図３（ａ）に示すように、反射板３は、光源収容体２が組み合わされたカバー１内に収容された状態（光源収容体２とカバー１との係止により形成された空間に反射板３が位置する状態）で、カバー１の軸線（換言すれば、反射板３の長手方向）に直交する断面形状が凹状となるように形成された反射板凹部３ａと、該反射板凹部３ａの開放方向に位置する端部から外方に延設された、重なり部としての反射板フランジ部３ｃとを備えている。本実施形態では、反射板凹部３ａは、カバー１の軸線（換言すれば、反射板３の長手方向）に沿って複数形成されている。そして、各反射板凹部３ａの内側に形成された空間同士を仕切る仕切壁部３ｂが各反射板凹部３ａの間に形成されている。ここで、外方とは、カバー１内に反射板３が収容された状態で、カバー１の軸線に直交する方向であって、反射板凹部３ａの内側から外側に向かう方向をいう。
【００４２】
前記反射板凹部３ａは、平板状（具体的には、平面視四角形状）に形成された底部である反射底部３ｄと、同じく平板状に形成され、該反射底部３ｄの端部から開放方向に向かって形成された対向する一対の反射壁部３ｅ，３ｅとから構成されている。また、反射板凹部３ａは、反射底部３ｄにおける外縁部から開放方向に向かって外方前方へと傾斜するように立ち上げられて形成された反射内壁面３ｆを備えている。
【００４３】
反射底部３ｄは、厚み方向に貫通するように形成された開口部３ｇを備えている。該開口部３ｇは、反射板凹部３ａの下方外側から光源Ｌを挿入可能に構成されており、図５に示すように反射板３を光源収容体２に重ね合わせた状態で、反射底部３ｄの上方に光源Ｌの一部（ＬＥＤのうち光を発する部分）が突出する。これにより、反射底部３ｄから光源Ｌの光が照射される。反射内壁面３ｆは、対向する一対の反射壁部３ｅ，３ｅにおける対向する面が反射底部３ｄから開放方向に向かって外方に傾斜するように形成されてなるものである。即ち、反射板凹部３ａは、一対の対向する反射内壁面３ｆ，３ｆを備えている。
【００４４】
前記反射板フランジ部３ｃは、反射板凹部３ａの開放方向に位置する反射壁部３ｅの端部から下斜め外方に延設されるように形成されている。つまり、この反射板フランジ部３ｃにおける上側面は、反射壁部３ｅにおける反射内壁面３ｆとは異なる角度に傾斜した面である。また、反射板フランジ部３ｃは、反射板３の長手方向に沿って（具体的には、長手方向の両端間の全域に亘って）形成されている。また、反射板フランジ部３ｃは、上側面と下側面とが、図５に示すように、光源収容体２に反射板３を重ね合わせた状態で、光源収容体２における収容体フランジ部３ｂの上側面２ｂ１に対して平行となるように形成されている。図６（ｃ）に示すように、左右の反射板フランジ部３ｃ，３ｃが光源収容体２とカバー１とによって挟まれるため、接着剤や接着テープを用いることなしに、反射板３を光源収容体２に対してずれることなく固定できる。
【００４５】
仕切壁部３ｂは、カバー１の軸線（換言すれば、反射板３の長手方向）に略直交するように形成されている。また、仕切壁部３ｂは、反射板３の長手方向に沿って間隔を空けて（等間隔で）複数配置されている。そして、対向する一対の仕切壁部３ｂ，３ｂは、図３（ｂ）に示すように、対向する壁面３ｊ，３ｊ同士の間隔が反射板凹部３ａの開放方向に向かって広くなるように形成されている。壁面３ｊ，３ｊは、前記反射壁部３ｅ，３ｅと同じく平板状に形成されている。これにより、対向する一対の仕切壁部３ｂ，３ｂと、反射板凹部３ａとで画定される空間は、多角錐台状（四角錐台状）となっている。また、本実施形態では、仕切壁部３ｂは、反射板凹部３ａの開放方向側に位置する端部３ｋが反射板凹部３ａの開放方向の端部３ｍよりも反射底部３ｄ側に位置している。この仕切壁部３ｂの形成により、前記多角錐台状（四角錐台状）の空間が複数、反射板３の長手方向に並列する。
【００４６】
前記のように、反射板３は、光源収容体２が組み合わされたカバー１内に収容されることから、本実施形態の照明ランプを取り付ける灯具の側には、従来の蛍光灯を用いた灯具のように、照明ランプ外に該照明ランプの光（主に照射方向と逆方向に照射される光）を反射させる反射板を設ける必要がないため、灯具の構成を簡素化できる。
【００４７】
また、反射板３が複数の仕切壁部３ｂを備えることで、反射板凹部３ａの内面と一対の仕切壁部３ｂの対向する壁面とによってより多くの光が反射される。このため、より明るい光を反射板凹部３ａの開放方向に向かって照射させることができる。これにより、より明るい光を均一に照射する照明ランプとなる。
【００４８】
また、複数の仕切壁部３ｂを備えることで、反射板３におけるカバー１の軸線に沿った方向に直交する方向の剛性を向上させることができる。これにより、照明ランプの組み立ての際の作業性を向上させることができる。
【００４９】
また、仕切壁部３ｂの端部３ｋが反射板凹部３ａの端部３ｍよりも反射底部３ｄ側に位置していることで、反射板３におけるカバー１の軸線に沿った方向の剛性を向上させることができる。これにより、照明ランプの組み立ての際の作業性を向上させることができる。
【００５０】
また、この仕切壁部３ｂの端部３ｋは、反射板凹部３ａの開放方向に向かう光を収束する作用を有するため、光源収容体２と組み合わされた状態のカバー１内で反射板３がカバー１と近接していると、仕切壁部３ｂの端部３ｋとカバー１の間に光が届き難くなる。このため、カバー１における仕切壁部３ｂの端部３ｋに対応した領域の光量が低下し、光量にムラが生じてしまう。これに対し、仕切壁部３ｂの端部３ｋが反射底部３ｄ側に位置していることで、仕切壁部３ｂの端部３ｋとカバー１との間の間隔が広がるため、仕切壁部３の端部３ｋとカバー１との間に光が届き易くなる。これにより、より明るい光を均一に照射する照明ランプとなる。
【００５１】
なお、反射板３を形成する材料としては、特に限定されるものではなく、本実施形態では、板状の材料を熱成形することで反射板３が形成されている。この板状の材料としては、特に限定されるものではないが、例えば、熱可塑性樹脂シートを用いることが好ましい。熱可塑性樹脂シートが熱成形されることで反射板３が形成されることにより、反射板３の作製を容易に行うことができる。また、熱可塑性樹脂シートを折り曲げ加工する場合よりも、複雑な形状を作製し易く、折り曲げ加工によって形成される折り目による反射性の低下を防止することができる。
【００５２】
ここで、図３（ｃ）に示すように、反射板凹部３ａの各部寸法（長手方向寸法または前後方向寸法）は、反射底部３ｄの寸法（内寸）、つまり、反射底部３ｄの上面にて光源Ｌを挟んで対向する外縁部同士の距離をＬ１とし、仕切壁部３ｂ，３ｂまたは反射壁部３ｅ，３ｅの上端間の寸法（内寸）、つまり、仕切壁部３ｂ，３ｂまたは反射内壁面３ｆ，３ｆにて光源Ｌを挟んで対向する上端同士の距離をＬ２とし（図示は仕切壁部３ｂ，３ｂの寸法）、仕切壁部３ｂ，３ｂまたは反射壁部３ｅ，３ｅの下端から上端までの高さ寸法をＨとするとき（図示は仕切壁部３ｂ，３ｂの高さ）、下記の式１及び式２を満たすことが、配光性向上のため好ましい。
Ｌ２−Ｌ１＝tan３７．５°×２Ｈ・・・（式１）
１．０＜（Ｌ２／Ｌ１）≦２．２・・・（式２）
式１に関しては、近似的にＬ２−Ｌ１＝１．５３Ｈで表すことができる。
式２に関しては、より好ましくは、１．３≦（Ｌ２／Ｌ１）≦１．９であり、更に好ましくは、１．４≦（Ｌ２／Ｌ１）≦１．８である。
【００５３】
式１及び式２で寸法が特定された反射板凹部３ａによると、特に反射壁部３ｅにおける反射内壁面３ｆ及び仕切壁部３ｂにおける壁面３ｊにおいて一次反射（光源Ｌが発する光の直接的な反射）される光束を、効率よく前方に集束させることができる。このため、光源Ｌの光を反射することでこの光を前方へと導くことができ、光源Ｌから後方に照射されてしまうロス光を低減できると共に、前方への照度を向上できる。
【００５４】
また、図３（ｃ）に示すように、反射底部３ｄの上面中点と仕切壁部３ｂ，３ｂまたは反射壁部３ｅ，３ｅの各上端とを結ぶ、長手方向または前後方向に沿う仮想線のなす角度を２θとすると（図示は仕切壁部３ｂ，３ｂの角度）、２θは下記の式３で与えられる。
tanθ＝Ｌ２／２Ｈ・・・（式３）
式１と式２と式３とにより、２θの近似的な値は、好ましくは１０８°≦２θ＜１８０°、より好ましくは１１６°≦２θ≦１４６°、更に好ましくは１１９°≦２θ≦１３９°となる。
【００５５】
前記のように、照明ランプの仕様に応じ、Ｌ１及びＨを決定することにより最適なＬ２を決定できるため、配光性の良い形状の反射板３を設計できる。
【００５６】
図１に戻り、前記拡散板４は、一方向に沿って長手となるように形成されている。拡散板４の長さとしては、特に限定されるものではなく、種々の長さとできる。また、拡散板４は、凸状（具体的には、長手方向に直交する断面形状が凸状）の形状を有する。この拡散板４は、図６に示すように、反射板３の上方に重ねられる。
【００５７】
本発明において拡散板４は必須ではなく、省略してもよい。ただし、本実施形態のように平板部４ａ（後述）を備えた拡散板４を用いると、例えば光源収容体２における収容体凹部２ａの内面、または反射板３における反射板凹部３ａの内面と拡散板４の平面部４ａとの間で、多重反射の反射回数を増加させることができる。このため、カバー１から出る光を均一化できる。このことから、拡散板４を設ける方が好ましい。
【００５８】
拡散板４について、より詳しく説明すると、図４に示すように、拡散板４は、光源収容体２と組み合わされた状態のカバー１内に収容された状態で、軸線方向に沿って長手となる平板部４ａと、該平板部４ａの幅方向端部から下斜め外方に延設された拡散板フランジ部４ｂとを備えている。図６（ｃ）に示すように、左右の拡散板フランジ部４ｂ，４ｂが光源収容体２とカバー１とによって挟まれるため、接着剤や接着テープを用いることなしに、拡散板４を光源収容体２に対してずれることなく固定できる。
【００５９】
この拡散板４により、光源Ｌからの光が拡散板４の上面及び下面で反射するので、光源Ｌが指向性の高いものであっても、カバー１の内部での多重反射の回数が増加するため、カバー１から出る光に関して配光を均一化できる。また、２色以上の異色の光源Ｌが１本の光源モジュールＬ１に配置された場合であっても、光の混色が促進され、演色性に優れたものとできる。
【００６０】
なお、カバー１と同様、拡散板４を形成する材料としては、光源Ｌからの光を拡散透過できるものであれば特に限定されるものではなく、種々の材料を使用できる。本実施形態の拡散板４は、反射板３と同様、板状の材料を熱成形することで形成されている。この板状の材料としては、特に限定されるものではないが、例えば、熱可塑性樹脂シートを用いることが好ましい。熱可塑性樹脂シートが熱成形されることで拡散板４が形成されることにより、拡散板４の作製を容易に行うことができる。
【００６１】
図１に戻り、前記口金５は、一端部が閉塞された筒状の口金本体５ａと、一対の口金ピン５ｂ，５ｂとを備えている。口金本体５ａは、樹脂素材（耐熱性を有するものが好ましい）を用いて形成されている。一方、一対の口金ピン５ｂ，５ｂは、例えば、アルミニウムや銅等の金属からなり、口金本体５ａを貫通するように配置されて、一端部が口金本体５ａの外側に位置し、他端部が口金本体５ａの内側に位置している。そして、照明ランプが形成された状態で、一対の口金ピン５ｂ，５ｂの他端部が光源モジュールＬ１の配線パターンとリード線を介して電気的に接続される。
【００６２】
次に、上記のような構成を有するカバー１、光源収容体２、反射板３、拡散板４、一対の口金５，５を用いて、照明ランプを形成する手順について説明する。まず初めに、図５に示すように、光源収容体２の上に反射板３を重ね、更にこれらの上に拡散板４を重ねる。具体的には、収容体凹部２ａの内側に反射板凹部３ａを収容するように光源収容体２と反射板３とを重ね、反射板凹部３ａ上端の開口が平板部４ａで塞がれるように拡散板４を重ねる。
【００６３】
この際、反射底部３ｄに形成された開口部３ｇから光源Ｌが反射板凹部３ａ内に突出した状態となる。本実施形態では、対向する一対の仕切壁部３ｂの対向面３ｊ，３ｊと、反射板凹部３ａの内面（一対の反射内壁面３ｆ，３ｆと、反射底部３ｄの一方の面）とで画定される空間に、少なくとも１つの光源Ｌが突出する。また、幅方向両端において、収容体フランジ部２ｂ、反射板フランジ部３ｃ、拡散板フランジ部４ｂが重なった状態となる。
【００６４】
次に、図６（ａ）〜（ｃ）に示すように、前記重ね合わせられた光源収容体２、反射板３、拡散板４に対しカバー１を取り付ける。
【００６５】
この際、まず、反射板３及び拡散板４が重ね合わされた光源収容体２に対しカバー１を上方から当接させると、図６（ａ）に示すように、カバー１の端側係止突起１ｄ１が拡散板フランジ部４ｂに当接する（光源収容体２の収容体フランジ部２ｂに間接的に当接する）。より詳しくは、カバー１における側方開口部１ｂの開口端縁１ｃ、及び、該開口端縁１ｃに一致する端側係止突起１ｄ１の端縁に位置する平面が拡散板フランジ部４ｂの上面に対して当接する。
【００６６】
前記状態でカバー１を押し込むべく、作業者等によりカバー１に下向きの外力Ｆがかけられると、図６（ｂ）に示すようにカバー１が弾性変形して、側方開口部１ｂが幅方向外側（左右方向）に開くように拡大する。この際、前記のように当接していた面同士が下斜め方向Ｍ１にずれる。そして、外力Ｆにより側方開口部１ｂが更に広がると、カバー１の端側係止突起１ｄ１が、拡散板フランジ部４ｂ、反射板フランジ部３ｃ、収容体フランジ部２ｂを乗り越えて下方に移動する。そして前記乗り越えの後には前記弾性変形が減少し、図６（ｃ）に示すように、カバー１の有する弾性力によって側方開口部１ｂが幅方向内側に閉じるように縮小する。この際、側方開口部１ｂの開口端縁１ｃが上斜め方向Ｍ２に移動して端側係止突起１ｄ１が嵌合部２ｆに入り込む。これにより、端側係止突起１ｄ１が嵌合部２ｆに対して嵌合する。そして、これと同時に、カバー１の奥側係止突起１ｄ２が拡散板フランジ部４ｂに当接する。このため、端側係止突起１ｄ１と奥側係止突起１ｄ２との間に拡散板フランジ部４ｂ、反射板フランジ部３ｃ、収容体フランジ部２ｂが挟まれる。以上により、カバー１の取り付けがなされる。
【００６７】
なお、カバー１取り付け後の状態にて、カバー１には、側方開口部１ｂが広がった際に発生した弾性力が残存したままであってもよいし、弾性変形が解除されて該弾性力が０である自由状態となっていてもよい。
【００６８】
次に、前記のようにカバー１、光源収容体２、反射板３、拡散板４が各々組み合わされた集合体（本実施形態における発光部分）の両端部に、口金５，５が取り付けられる。これにより、軸線方向に沿って長手となる、発光部分の外観が直管状の照明ランプが形成される。
【００６９】
以上、本実施形態によると、ＬＥＤを光源として用いた照明ランプを小型で、且つ、容易に製造することができる。
【００７０】
前記のように製造された照明ランプは、光源Ｌからの光束Ｌａが例えば図７に示すように、反射板３の反射内壁面３ｆ、及び、仕切壁部３ｂの壁面３ｊ（図示せず）、拡散板４の拡散板フランジ部４ｂ、カバー１における断面円弧状の内面で反射する。そして、拡散板４の平板部４ａで屈折及び反射する。反射に関しては、一度反射した光が再度別の位置で反射すること（多重反射）もある。このようにして、光源Ｌからの光がカバー１に導かれ、カバー１の表面から外部に照射される。よって、前記反射及び屈折を適切に設定することにより、カバー１の表面にて光源Ｌに対応した領域以外からも反射・屈折した光を照射でき、カバー１から照射される光を均一化できる。そして、照明ランプの配光性及び照度（明るさ）を向上できる。
【００７１】
前記のように、光源収容体２に対してカバー１を下方に押し込むことで照明ランプの組み立てが可能であるため、組み立てのための作業スペースを、例えば従来の、管端部の開口より挿入する組み立て方法のように、カバー１の２倍以上も確保する必要がないため、作業スペースが小さくて済む。しかも、照明ランプにおいて外部に露出する部分のうち大部分を、発光部分として、透光性のあるカバー１が占めるようにできるため、配光性を向上できる。また、反射板３及び拡散板４を同時に光源収容体２に対して組み込むことができるので、照明ランプを組み立てるための作業性が良い。
【００７２】
なお、本実施形態では、反射板３、及び、拡散板４の長さがカバー１の長さよりも短く形成されているため、複数の反射板３、及び、複数の拡散板４を長手方向に直線状に配列したものをカバー１、及び、光源収容体２に組み合わせることもできる。このように、複数の反射板３、及び、複数の拡散板４を連結してカバー１を取り付けることができるため、照明ランプを製造する際の作業性を向上させることができる。
【００７３】
また、前記のようにカバー１、光源収容体２、反射板３、拡散板４が各々組み合わされていることから、反射板３及び拡散板４がカバー１及び光源収容体２に連結されることで、カバー１の軸線を中心に照明ランプを回転させて、光の照射方向を任意に設定することができる。
【００７４】
また、本実施形態のようにカバー１を下方に押し込む組み立て方法に限られず、従来と同様、カバー１の端部から光源収容体２を軸線方向（各部の長手方向）に沿ってスライドさせることで組み立てを行ってもよい。
【００７５】
なお、本発明に係る照明ランプは、上記実施形態に限定されるものではなく、本発明の要旨を逸脱しない範囲で種々の変更が可能である。また、複数の実施形態の構成や方法等を任意に採用して組み合わせてもよく（１つの実施形態に係る構成や方法等を他の実施形態に係る構成や方法等に適用してもよく）、更に、下記する各種の変更例に係る構成や方法等を任意に選択して、上記した実施形態に係る構成や方法等に採用してもよいことは勿論である。
【００７６】
例えば、上記実施形態では、カバー１は、円筒状（一定の曲率で湾曲した筒状）の外周部に側方開口部１ｂが形成されることで切り欠かれ、長手方向に直交する断面形状が略「Ｃ」字状に形成されているものであったが、これに限定されるものではなく、多角形筒状や楕円筒状の外周部が切り欠かれた形状であってもよい。
【００７７】
また、図８に示すように、カバー１の表面に凹条及び凸条が設けられることで光拡散性等が付与されていてもよい。また、上記実施形態では、係止突起１ｄが側方開口部１ｂの幅方向一方側に２本ずつ形成されているが、これに限定されるものではなく、図８に示すように１本ずつ形成されていてもよい。
【００７８】
また、上記実施形態では、外力により側方開口部１ｂが幅方向（左右方向）に拡大することで、光源収容体２の幅方向外側からカバー１が嵌合するように、カバー１、光源収容体２等が構成されている（外側からの嵌合）が、これに限定されるものではなく、外力により側方開口部１ｂが幅方向（左右方向）に縮小することで、光源収容体２の幅方向内側からカバー１が嵌合するように（内側からの嵌合）、カバー１、光源収容体２等が構成されていてもよい。
【００７９】
また、上記実施形態では、カバー１に加えられた、光源収容体２へ向かう下方への外力を受け、側方開口部１ｂが幅方向に拡大するように弾性変形可能とされているが、これに限定されるものではなく、作業者がカバー１をつまんだり握ったりすること等により、側方開口部１ｂが幅方向に拡大または縮小するように弾性変形可能とされていてもよい。
【００８０】
また、上記実施形態では、図６（ｃ）に示すように、カバー１の二つの係止突起１ｄ，１ｄで光源収容体２の収容体フランジ部２ｂ、反射板３の反射板フランジ部３ｃ、拡散板４の拡散板フランジ部４ｂを挟むことで各々が固定されるよう構成されているが、これに限定されるものではなく、図８に示すように、反射板３が光源収容体２の収容体フランジ部２ｂに形成された嵌合部２ｇに対して嵌合することで支持されるよう構成されていてもよい。この嵌合部２ｇは、幅方向内方を向いて開口した、長手方向に沿う溝であって、図９（ｆ）に示す上方に突出した形状とされた反射板３の幅方向端部を支持できる。また、図８の実施形態では、光源収容体２が収容体底部２ｃを備えずに中空に形成されており、光源収容体２上方に突出した部分で光源モジュールＬ１を支持する。また、拡散板４を備えていない。このように本発明では、拡散板４は必須ではなく省略してもよい。なお、拡散板４を備えた場合には、前記嵌合部２ｇで反射板３と共に拡散板４が支持されてもよい。
【００８１】
また、上記実施形態では、係止突起１ｄは長手方向に連続して（途切れずに）形成されているが、これに限定されるものではなく、断続的に形成されていてもよい。また、係止突起１ｄの断面形状は上記実施形態の三角形に限定されるものではなく、四角形や半円形であってもよい。
【００８２】
また、上記実施形態では、基台部である光源収容体２は一部材からなるが、これに限定されるものではなく、複数の部材が組み合わされて基台部が構成されていてもよい。また、基台部を構成する一部の部材が、カバー１と同様に透光性のある部材とされていてもよい。こうすることで、基台部からも光の一部を照射できる。
【００８３】
また、上記実施形態では、反射板３は、複数の仕切壁部３ｂを備えているが、これに限定されるものではなく、図９（ａ）に示すように、反射板３の長手方向に沿って反射板凹部３ａを形成し、反射底部３ｄに複数の開口部３ｇを形成してもよい。この構成の反射板３は、板状の材料を折り曲げ加工することで形成することができる。
【００８４】
また、上記実施形態では、図３（ｂ）に示すように、反射板凹部３ａの開放方向側に位置する仕切壁部３ｂの端部３ｋが反射板凹部３ａの開放方向に位置する端部３ｍよりも反射底部３ｄ側に位置しているが、これに限定されるものではなく、図９（ｂ）（ｃ）に示すように、反射板凹部３ａの開放方向に位置する端部３ｍと略同一の位置に仕切壁部３ｂの端部３ｋが位置するように構成されてもよい。なお、図９（ｃ）に示すものは、反射板凹部３ａの端部３ｋの上面が平坦面とされたものである。
【００８５】
また、上記実施形態では、仕切壁部３ｂ，３ｂ間に一つの開口部３ｇを備えているが、これに限定されるものではなく、図９（ｄ）に示すように、複数（図示のものは二つ）の開口部３ｇを備えていてもよい。
【００８６】
また、上記実施形態では、対向する一対の仕切壁部３ｂ，３ｂと、反射板凹部３ａとで画定される空間は多角錐台状となっているが、これに限定されるものではなく、図９(ｅ）に示すように、反射板凹部３ａを、底部に開口部３ｇが位置するような円錐台状の空間が形成されるよう構成されていてもよい。
【００８７】
更に、上記実施形態では、反射壁部３ｅの反射内壁面３ｆ及び仕切壁部３ｂの壁面３ｊが平面で形成されているが、これに限定されるものではなく、開口部３ｇを取り巻く壁面が縦断面にて湾曲した形状の湾曲面（アール曲面）であってもよい。前記壁面を湾曲面とすることで、光源Ｌの前方への照度を向上できる。この湾曲面の曲率をＲとすると、好ましいＲは下記の式４で与えられる。
Ｒ＝［｛（Ｌ２−Ｌ１）／２｝2＋Ｈ2］0.5／（２×sin７．５°）・・・（式４）
式１と式４とにより、Ｒは近似的に、Ｒ＝４．８３Ｈで表すことができる。
【００８８】
また、上記実施形態では、反射板３は反射板凹部３ａを備えるが、これに限定されるものではなく、図８及び図９（ｆ）に示すように、長手方向に延びる平板部と、この平板部の幅方向端部から下斜め外方に延設されるフランジ部とを備え、上方が開放された凹部を備えないものであってもよい。
【００８９】
また、上記実施形態では、反射板３は一部材からなるが、これに限定されるものではなく、図９（ｇ）に示すように、対向する二部材３１，３１からなり、各部材間に光源Ｌが位置できるように構成されていてもよい。
【００９０】
また、上記実施形態は、発光部分の外観が直管状とされた照明ランプであるが、これに限定されるものではなく、円管状の照明ランプや、白熱灯用ソケットに適合する蛍光灯であり、管の折り曲げ・折り返しがなされて、軸線が湾曲した発光部分を有する蛍光灯に相当する形状の照明ランプであってもよい。
【００９１】
また、上記実施形態は、従来の直管形蛍光灯を代替するための、ＬＥＤを用いた照明ランプであるが、これに限定されるものではなく、ＬＥＤ専用の灯具に用いられるもの等、蛍光灯または白熱灯の代替を前提としない照明ランプであってもよい。更には、ＬＥＤ以外の発光素子を発光体として用いた照明ランプであってもよい。
【符号の説明】
【００９２】
１…カバー、１ｂ…側方開口部、１ｃ…当接部（開口端縁）、１ｄ…係止部（係止突起）、２…基台部（光源収容体）、２ｂ１…傾斜面（収容体フランジ部の上側面）、２ｆ…被係止部（嵌合部）、３…反射部（反射板）、３ａ…反射部の凹部（反射板凹部）、３ｃ…重なり部（反射板フランジ部）、３ｄ…反射部の凹部の底部（反射底部）、４…拡散板、５…口金、Ｌ…光源（発光ダイオード）Ｌ１…光源モジュール
【図１】
2014089894.tif 000003
【図２】
2014089894.tif 000004
【図３】
2014089894.tif 000005
【図４】
2014089894.tif 000006
【図５】
2014089894.tif 000007
【図６】
2014089894.tif 000008
【図７】
2014089894.tif 000009
【図８】
2014089894.tif 000010
【図９】
2014089894.tif 000011